(57)【要約】【課題】保温物が置かれた状態で使用されても、別の断熱材を配置する必要がなく、また、床暖房用のフローリングを使用する必要のない、低コストな家づくりが可能な電気採暖具を提供することを目的とする。【解決手段】上から順に表面材１と発熱体２と断熱材３とを備え、前記断熱材３は、金属シート４と、その上面側の上面不織布５と、その下面側の下面不織布６とを有することにより、保温物が置かれた状態で使用されても、断熱材３の金属シート４が、保温物が置かれた部分の断熱材３の裏面から床面への熱伝導を均一分散させるために、別の断熱材を配置する必要がなく、床暖房用のフローリングを使用する必要がなく、低コストな家づくりが可能となる。【選択図】  図１
2004348994.tif 000002
【特許請求の範囲】
【請求項１】
上から順に表面材と発熱体と断熱材とを備え、前記断熱材は、金属シートと、その上面側に配設した上面不織布と、下面側に配設した下面不織布とを有する電気採暖具。
【請求項２】
上から順に表面材と発熱体と断熱材とを備え、前記断熱材は金属シートと、その下面側に配設した下面不織布とを有する電気採暖具。
【発明の詳細な説明】
【０００１】
【発明の属する技術分野】
本発明は、電気カーペット等の電気採暖具に関するものである。
【０００２】
【従来の技術】
従来、この種の電気採暖具は、表面材と断熱材の間に通電状態で発熱する発熱線を配設しているものである（例えば、特許文献１参照）。
【０００３】
【特許文献１】
特許第３１８０００１号公報
【０００４】
【発明が解決しようとする課題】
しかしながら、前記従来の構成では、電気採暖具の上に保温物が置かれた状態で使用されるときは、その保温部の表面材の放熱が阻害されるので、保温物が置かれた部分の発熱体の温度が、保温物を置かれていない部分より高温となり、保温物を置かれた部分の断熱材の裏面から床面への熱伝導が局所的に行われ、床面の温度を局所的に上昇させる。このため、床面の温度を分散させる手段として、断熱材と床面の間に別の断熱材を配置する必要があった。また、床面をフローリングにする場合は、床面の耐熱性を満足する床暖房用のフローリングを使用しなければならないため、高コストな家づくりになるという課題を有していた。
【０００５】
本発明は、前記従来の課題を解決するもので、保温物が置かれた状態で使用されても、別の断熱材を配置する必要がなく、また、床暖房用のフローリングを使用する必要のない、低コストな家づくりが可能な電気採暖具を提供することを目的とする。
【０００６】
【課題を解決するための手段】
前記従来の課題を解決するために、本発明の電気採暖具は、発熱体の下方に配設した断熱材は、金属シートと、上面不織布と、下面不織布とを有するものである。
【０００７】
これによって、保温物が置かれた状態で使用されても、断熱材の金属シートが、断熱材の裏面から床面への熱伝導を均一分散させるために、別の断熱材を配置する必要がなく、また、床暖房用のフローリングを使用する必要がなく、低コストな家づくりが可能となる。
【０００８】
【発明の実施の形態】
請求項１に記載の発明は、上から順に表面材と発熱体と断熱材とを備え、前記断熱材は、金属シートと、その上面側に配設した上面不織布と、下面側に配設した下面不織布とを有する電気採暖具とすることにより、保温物が置かれた状態で使用されても、断熱材の金属シートが、断熱材の裏面から床面への熱伝導を均一分散させるために、別の断熱材を配置する必要がなく、また、床暖房用のフローリングを使用する必要がなく、低コストな家づくりとなる。
【０００９】
請求項２に記載の発明は、上から順に表面材と発熱体と断熱材とを備え、前記断熱材は金属シートと、その下面側に配設した下面不織布とを有する電気採暖具とすることにより、同様に、保温物が置かれた状態で使用されても、別の断熱材を配置する必要がなく、また、床暖房用のフローリングを使用する必要がない低コストな家づくりが可能となる。
【００１０】
【実施例】
以下、本発明の実施例について、図面を参照しながら説明する。
【００１１】
（実施例１）
図１は、本発明の実施例１における電気採暖具を示すものである。
【００１２】
図において、表面材１と断熱材３との間に発熱体２が配設され固定されている。前記断熱材３は、金属シート４の上面側および下面側にそれぞれ上面不織布５と下面不織布６を配設し一体固定して構成している。表面材１は、天然繊維や人工繊維などからなる絨毯などの敷物や樹脂シートなどを用いているが、敷物及び着座して使用できるものなら、特に限定はされるものではない。発熱体２は、チュービング状発熱体、シート状に形成された発熱体であり、通電することで発熱し、所定の温度に制御されるものであれば、特に限定されるものではない。また、断熱材３を構成している金属シート４は、厚み０．０５ｍｍ〜１０ｍｍの範囲に設定してあり、熱伝導の優れたアルミニウムを用いている。これも、熱伝導率の優れた金属材料ならば、特に材料は限定されるものではない。そして、上面不織布５は、目付け１００ｇ／ｍ２〜２００ｇ／ｍ２の範囲に設定してあり、天然繊維や人工繊維を用いている。下面不織布６は、目付け３００ｇ／ｍ２〜６００ｇ／ｍ２の範囲に設定してあり、天然繊維や人工繊維を用いている。
【００１３】
以上のように構成された電気採暖具について、以下その動作、作用を説明する。
【００１４】
まず、金属シート４の両面に上面不織布５と下面不織布６を接着剤などにより一体固定した断熱材３に、表面材１と発熱体２を配設しているので、保温物が置かれた状態で使用されても、断熱材３の金属シート４が、保温物を置かれた部分の断熱材の裏面から床面への熱伝導を均一分散させるために、別の断熱材を配置する必要がなく、また、床暖房用のフローリングを使用する必要がなく、低コストな家づくりが可能となる。
【００１５】
（実施例２）
図２は、本発明の実施例２における電気採暖具を示すものである。実施例１と同一要素は同一符号を付して説明は省略する。
【００１６】
実施例１と異なるところは、断熱材３は、金属シート４の下面側のみに下面不織布６を配設した構成としている点である。言い換えれば、実施例１における上面不織布５を削除したものである。
【００１７】
以上のように構成された電気採暖具について、以下その動作、作用を説明する。
【００１８】
まず、金属シート４の下面側のみに下面不織布６を接着剤などにより一体固定した断熱材３に表面材１と発熱体２を配設しているので、保温物が置かれた状態で使用されても、断熱材の金属シートが、保温物を置かれた部分の断熱材の裏面から床面への熱伝導を均一分散させるために、別の断熱材を配置する必要がなく、床暖房用のフローリングを使用する必要がなく低コストな家づくりとなる。
【００１９】
なお、実施例１に比べて断熱材３の構成が簡略化されており、より低コスト化がはかれる。この実施例は、発熱体２の表面が絶縁されている場合により有効なものとなる。
【００２０】
【発明の効果】
以上のように、本発明の電気採暖具によれば、保温物が置かれた状態で使用されても、断熱材の金属シートが、保温物を置かれた部分の断熱材の裏面から床面への熱伝導を均一分散させるために、別の断熱材を配置する必要がなく、また、床暖房用のフローリングを使用する必要がなく、低コストな家づくりが可能となる。
【図面の簡単な説明】
【図１】本発明の実施例１における電気採暖具の断面図
【図２】本発明の実施例２における電気採暖具の断面図
【符号の説明】
１  表面材
２  発熱体
３  断熱材
４  金属シート
５  上面不織布
６  下面不織布
【図１】
2004348994.tif 000003
【図２】
2004348994.tif 000004